【事件の表示】
　特許第２９４５３１０号「ディスクカートリッジ」の請求項１ないし４に係る特許に対する特許異議の申立てについて、次のとおり決定する。
【結　論】
　訂正を認める。
　特許第２９４５３１０号の請求項１ないし２に係る特許を維持する。
【理　由】
１．手続きの経緯
　出願　　　　　　　平成２年４月１７日
　特許権設定登録　　平成１１年６月２５日
　特許異議の申立て　平成１２年３月６日
　　　（異議申立人松本信雄）
　取消理由通知　　　平成１２年５月２４日
　特許異議意見　　　平成１２年８月７日
　訂正請求　　　　　平成１２年８月７日
　訂正請求取下　　　平成１２年１０月１６日
　取消理由通知　　　平成１２年１０月１９日
　訂正請求　　　　　平成１２年１１月９日
　
２．訂正の適法性
（１）本件発明
　訂正特許明細書の請求項１〜３に係る発明（以下、請求項１，２に係る発明を「本件発明」という。）は、その特許請求の範囲の請求項１〜３に記載された次のとおりのものである。
「【請求項１】ディスク状記録媒体が収納されたケース（１）と、このケースに形成されたヘッド挿入穴（３）と、このヘッド挿入穴を開閉ピンによって開閉するためのシャッタ（５）と、前記シャッタに取り付けられ、前記シャッタの開閉方向に滑るようにして前記ケースと接触するスライダー（１２）と、を備えたディスクカートリッジにおいて、
前記シャッタ（５）は前記ケース（１）の記録再生装置挿入側に位置する折曲部分（５ａ）を有する断面略コの字形に折り曲げ形成されており、
前記スライダー（１２）は、前記折曲部分（５ａ）の内面側に位置し前記シャッタ（５）を固着するシャッタ支持部（２１）と、前記折曲部分（５ａ）のシャッタ閉止方向側端部から突出するように前記シャッタ支持部（２１）から伸設された伸設部（２２）と、前記シャッタ（５）を開方向に移動させる時に開閉ピンと当接するように前記伸設部（２２）の先端に形成された当接突起部（２５）とを有し、前記当接突起部（２５）の下方に腕部とこの腕部を介して第２嵌合突起部（２６）が一体形成され、この第２嵌合突起部（２６）が前記ケース（１）の内壁面にスライダーの摺動方向に向けて形成された第２案内係合部（２８ａ、２８ｂ）に摺動可能に係合すると共に、
前記シャッタ支持部（２１）のシャッタ開方向側端部に一対の第１嵌合突起部（２３a、２３b）が形成され、これらの第１嵌合突起部（２３a、２３b）が、前記ケースの内壁面にスライダーの摺動方向に向けて形成された第１案内係合部（２７ａ、２７ｂ）に摺動可能に係合し、前記第２嵌合突起部（２６）および前記第１嵌合突起部（２３a、２３b）が前記ケース（１）の記録再生装置挿入先端部分に沿って形成された凹み部（３１）を摺動することがないように構成した
　【請求項２】前記シャッタ支持部（２１）のシャッタ開方向側端部に、シャッタ（５）を閉止方向に付勢する弾性部材（１４）が係合可能であることを特徴とする請求項１に記載のディスクカートリッジ。
　【請求項３】ディスク状記録媒体が収納されたケース（１）と、このケースに形成されたヘッド挿入穴（３）と、このヘッド挿入穴を開閉ピンによって開閉するためのシャッタ（５）と、前記シャッタに取り付けられ、前記シャッタの開閉方向に滑るようにして前記ケースと接触するスライダー（１２）と、を備えたディスクカートリッジにおいて、
前記シャッタ（５）は前記ケース（１）の記録再生装置挿入側に位置する折曲部分（５ａ）を有する断面略コの字形に折り曲げ形成されており、
前記スライダー（１２）は、前記折曲部分（５ａ）の内面側に位置し前記シャッタ（５）を固着するシャッタ支持部（２１）と、前記折曲部分（５ａ）のシャッタ閉止方向側端部から突出するように前記シャッタ支持部（２１）から伸設された伸設部（２２）と、前記シャッタ（５）を開方向に移動させる時に開閉ピンと当接するように前記伸設部（２２）の先端に形成された当接突起部（２５）とを有し、前記シャッタ支持部（２１）のシャッタ開方向側端部に一対の第１嵌合突起部（２３ａ、２３ｂ）が形成され、これらの第１嵌合突起部（２３ａ、２３ｂ）が、前記ケースの内壁面にスライダーの摺動方向に向けて形成された第１案内係合部（２７ａ、２７ｂ）に摺動可能に係合し、前記シャッタ支持部（２１）のシャッタ開方向側端部に、シャッタ（５）を閉止方向に付勢する弾性部材（１４）が係合していると共に、当該シャッタ開方向側端部に形成されている一対の第１嵌合突起部（２３ａ、２３ｂ）のうちの一方（２３ｂ）が、前記シャッタ（５）を完全に開いたときに弾性部材（１４）の腕（１４ｂ）が衝突しないようにシャッタ開方向側の長さが他方の第１嵌合突起部（２３ａ）と比べて短く形成されていることを特徴とするディスクカートリッジ。」
（２）訂正の目的の適否、新規事項の有無及び拡張・変更の存否
　上記特許請求の範囲は、特許明細書の請求項１，２，４を削除し、同請求項３を繰り上げて分割して請求項１，２とし、同請求項５を繰り上げて、その記載形式を引用形式から独立形式にして請求項３とし、上記請求項の記載事項中、下線部の構成を付加して構成要件を限定したものであって、上記訂正は、明りょうでない記載の釈明及び特許請求の範囲の減縮に該当し、新規事項の追加に該当せず、実質的に特許請求の範囲を拡張又は変更するものではない。
（３）独立特許要件の判断
　請求項３に係る発明は、特許出願の際独立して特許を受けることができるものである。
（４）その他の訂正について
　上記特許請求の範囲の減縮に伴い、明細書の明りょうでない記載の釈明をしたものであって、新規事項の追加に該当せず、実質的に特許請求の範囲を拡張又は変更するものではない。
（５）むすび
　以上のとおりであるから、上記訂正請求は、特許法第１２０条の４第２項及び同条第３項で準用する第１２６条第２〜４項の規定に適合するので、当該訂正を認める。
　
３．特許異議申立ての理由の概要
　異議申立人松本信雄は、特許明細書の特許請求の範囲の請求項１〜４に係る発明は、甲第１，２号証に記載された発明に基いて、当業者が容易に発明をすることができたものであるので、特許法第２９条第２項の規定により、また、甲第３号証に記載された発明と同一であるから、同法第２９条の２の規定により、特許を受けることができないものであるから、その特許は取り消されるべきものである旨主張している。
　
４．当審の判断
　異議申立人松本信雄が提示した刊行物１（実願昭６２−１６３０５６号（実開平１−７１３６６号）のマイクロフィルム：甲第１号証）には、「（１）ディスク（１）を回転可能に収納するケース（２）に形成されたピックアップ挿入孔（３）や駆動軸挿入孔を開閉するシャッタ板の上板（４1）及び下板（４2）をスライダ（４3）にそれぞれ連結して断面がほぼコ字状に構成したシャッタ（４）を具備するディスクカートリッジ」（「実用新案登録請求の範囲」の欄）、「本考案を光ディスクカートリッジに適用した一実施例について第１〜４図で説明すると、円形状の光ディスク１と、該ディスク１を回転可能に収納する上ケースと下ケースとからなるケース２と、このケース２に形成した記録・再生用のピックアップ挿入孔３や駆動軸挿入孔を開閉するため、ケース上下面を挟持状態でピックアップ挿入孔３を開閉する金属製（ＳＵＳ）のシャッタ板の上板４1及び下板４2をポリアセタール樹脂などの滑性良好な材質のスライダ４3にそれぞれ連結して断面がほぼコ字状に構成したシャッタ４を備え、」（〔実施例〕の項及び第１〜４図）、「前記スライダ側壁４4とは他方側でケース２内面に形成されたガイド溝１７などの案内部に嵌合する係合凸部１８を前記スライダ４3のガイド片１８1を介して配備してある」（〔実施例〕の項）、「シャッタ４の構成には前記スライダ４3に係合孔５と係合突起６とを設け、該係合孔５に挿入される係合片７と係合突起６に嵌入する係合穴８とを前記シャッタ板の一端を折曲げた段状部９にそれぞれ対応配備して、該段状部９の水平面及び鉛直面を前記スライダ４3の内面及び側面に当接して前記係合片７をスライダの係合孔５に挿入し、かつシャッタ板の係合穴８をスライダの係合突起６に嵌入して固着一体化してある。」（〔実施例〕の項）、「また、スライダ４3にはケース２との係合部１０が設けられ、ガイド溝１７に嵌入されるスライドできるようになっており、」（〔実施例〕の項）、「不使用時にはシャッタ４によってピックアップ挿入孔３が覆われ、ディスクカートリッジを挿入する際に、スライドされピックアップ挿入孔３を開ける状態にスライドされ、ガイド軸のシャフト１５に巻装されたスプリング１６で復元できるように付勢されている。」（〔実施例〕の項）及び「シャッタ４のあるカートリッジケース２を装置側に組込むと、シャッタ４の開放時に記録再生装置側のシャッタ開閉用ピン２４、２４が連動して一方がスライダ端部に当接し」（〔実施例〕の項及び第５〜９図）が、
　同刊行物２（特開昭６２−２１７４７８号公報：甲第２号証）には、「（１）上および下ハーフから構成されその上および下ハーフの少なくとも一方または両方にヘッド挿入孔が形成されたカセット筐体と、そのカセット筐体内に回転自在に収納された円板状記録媒体と、断面がほぼコの字状をなし前記カセット筐体の上および下ハーフの外側に嵌め合わされて筐体の側面に沿って移動して前記上または下片の一方あるいは両方で前記ヘッド挿入孔を開閉するようになされたシャッタとを有する円板状情報記録媒体用カセットにおいて、前記シャッタの上片と下片とを接続する側片が位置する近傍に、前記筐体の側面に平行に案内移動するように筐体に保持された移動部材を設け、この移動部材と前記シャッタとが結合されることによりシャッタが前記筐体の側面に沿って案内移動できるようにしたことを特徴とする円板状情報記録媒体用カセット。」（「特許請求の範囲」の欄）、「（１４）はシャッタ（７）が連結される移動体、（１５）はシャッタ（７）と移動体（１４）とを連結するねじ、」、「この実施例では（８）は上ハーフ（１）または下ハーフ（２）あるいはその両方に設けられた案内リブとなされており、（４）は移動体（１４）に設けられた溝である。従って移動体（１４）はカセットの筐体に保持されかつ案内移動される。」、「バネ（１０）の端部を移動体（１４）のバネ止め部（１３）に入れ次にバネ（１０）の他端を下ハーフ（２）側に設けられたバネ止め部（１２）に入れる。」及び「なお上記実施例では上下ハーフ側に案内リブ（８）を、移動体側に溝（４）を設けたが上下ハーフ側に凹状ガイドを移動体側に突起またはリブを設けてもよい。」（〔実施例〕の項及び第１〜４図）ことが、
　同刊行物３（特開平３−２２４１８２号公報（特願平２−１７５２７３号、平成２年７月４日出願〔優先権主張〕平成１年７月５日・特願平１−１７１８１８号、平成１年１１月２５日・特願平１−３０５１０７号、平成１年１２月２８日・特願平１−３３８１６６号、平成１年１２月２８日・実願平１−１５０１５５号））：甲第３号証）には、「第１図に示すように、このディスクカートリッジ６は、主として硬質プラスチック製のカートリッジケース８と、このカートリッジケース８内に回転可能に収納された両面記録形のディスク状記録媒体７と、カートリッジケース８の前縁部９に摺動可能に取り付けられたスライダ２２と、このスライダ２２に固着され、閉鎖位置より一方向に摺動してカートリッジケース８に開設された窓孔１０を開閉するシャッタ１１と、」（〔実施例〕の項及び第１図）、「下ハーフ８ｂには、第２図に示すように、光ディスク７の回転中心Ｐと対応する略中央部から前縁部９に向けて、ヘッド挿入用の窓孔とターンテーブル挿入用の窓孔とが一連となった長孔状の窓孔１０が開設され、」、「前記下ハーフ８ｂの前縁部９には、前記接合用壁２３、２４よりもやや低い案内レール２５が一直線状に形成され、」（〔実施例〕の項及び第２図）、「シャッタ１１は、第６図および第７図に示すように、ステンレス等の薄板をコの字形に折り曲げることによって、前記窓孔１０の全体を同時に覆うことができる長さを有する上片１１ａおよび下片１１ｂ、それに前記カートリッジケース８のシャッタ設定部の厚さＳとほぼ等しい幅を有する前片１１ｃとが一体に形成されており、」（〔実施例〕の項及び第６，７図）、「スライダ２２は、第８図および第９図に示すように、幅広の前面部３１と前記カートリッジケースの前縁部に形成された切欠部２７よりも幅狭の後面部３２とこれらをつなぐ連結部３３とから構成されており、これら各部によって形成される凹溝３４ａ、３４ｂ内に前記案内レール２５を内装できるようになっている。前面部３１は、第８図、第１０図、第１１図に示すように、前記窓孔１０の幅Ｗと略等しい長さlと前記切欠部２７の厚さＴ1と同じかあるいはこれよりも狭い幅Ｔ1に形成された切欠部３５と、前記シャッタ１１の内幅と略等しい幅に形成されたシャッタ取付部３６と、このシャッタ取付部３６の先端部に形成されたテーパ部３７と、前記切欠部３５を介して前記シャッタ取付部３６と反対側に形成されたピン係合部３７ａとからなる。ピン係合部３７ａは、シャッタ取付部３６とほぼ同幅に形成され、切欠部３５の上下面より対称形に突設される。」、「テーパ部３７側の端部には、第８図および第９図に示すように、バネ係止部３２ｂが突設されている。前記スライダ２２は、例えばナイロンあるいはポリアセタールのように、滑性に優れた合成樹脂をもって一体に形成される。」、「スライダ２２は、テーパ部３７をシャッタ１１の開放時移動側に向け、前記凹溝３４ａ、３４ｂに前記案内レール２５を嵌装することによって、カートリッジケース８に摺動可能に取付けられる。」（〔実施例〕の項及び第８〜１１図）、「カートリッジホルダ３内にディスクカートリッジ６を挿入すると、まず第１４図および第１５図に示すように、一方のピン４ａが閉止位置にあるスライダ２２のピン係合部３７ａの外面に当接される」（〔実施例〕の項及び第１４，１５図）及び「なお、前記実施例においては、スライダ２２の後面部３２および連結部３３をスライダ２２のほぼ全長にわたって形成したが、第１９図に示すように、スライダ２２の両端部にのみこれら後面部３２および連結部３３を形成することもできる。本例のスライダを用いると、第２０図に示すように、切欠部２７を介してその両側部分にのみスライダ挿通孔２９が開設されたカートリッジケース８を用いることができる。」（〔実施例〕の項及び第１９，２０図、なお、第１９図、第２０図及びこれらに関する事項についての記載が、上記優先権主張の元となった出願の明細書及び図面のいずれにも存しないから、上記記載事項についてはこれら優先権主張は認められない。）ことが、
それぞれ記載されている。
　そこで、本件発明と刊行物１〜３に記載された発明（上記優先権主張が認められない記載事項に係る発明は、本件出願より後願であるから対比対象発明から除外する。）とを対比すると、後者のいずれも、少なくとも前者の必須の構成である「前記第２嵌合突起部（２６）および前記第１嵌合突起部（２３a、２３b）が前記ケース（１）の記録再生装置挿入先端部分に沿って形成された凹み部（３１）を摺動することがないように構成した」構成を具備していない。
　そして、前者は上記必須の構成を具備することにより、後者のいずれからも予想できない〈ケースの凹み部に第２嵌合突起部あるいは第１嵌合突起部が摺動するための案内係合部に相当するような係合部を設ける必要がなく、それだけケースの凹み部の厚さを薄くすることができ、シャッタを開いた状態で記録再生装置の一対のヘッドhが側方からヘッド挿入口３へ接近しても、接触しないようにすることができると共に、ケースの構造をより単純なものとすることができ、ディスクカートリッジを小型化することができる。〉という明細書及び図面の記載からみて自明の特有の作用効果を奏するものであるから、前者が後者から容易に発明をすることができたものであるとも、前者と後者が同一であるともすることはできない。
　
５．むすび
　以上のとおりであるから、特許異議申立ての理由及び証拠によって、本件発明の特許を取り消すことはできない。
　また、他に本件発明の特許を取り消すべき理由を発見しない。
　よって、結論のとおり決定する。
【異議決定日】
平成１２年１１月１６日（２０００．１１．１６）
【訂正の要旨】
▲１▼．訂正事項ａ
　　特許請求の範囲の減縮を目的として、特許請求の範囲の請求項１、２を削除する。
▲２▼．訂正事項ｂ
　　特許請求の範囲の請求項３に係る記載を特許請求の範囲の減縮を目的として、下記のとおり請求項１、２に分割して訂正すると共に、請求項番号を繰り上げる。
　「
【請求項１】
　　ディスク状記録媒体が収納されたケース（１）と、このケースに形成されたヘッド挿入穴（３）と、このヘッド挿入穴を開閉ピンによって開閉するためのシャッタ（５）と、前記シャッタに取り付けられ、前記シャッタの開閉方向に滑るようにして前記ケースと接触するスライダー（１２）と、を備えたディスクカートリッジにおいて、前記シャッタ（５）は前記ケース（１）の記録再生装置挿入側に位置する折曲部分（５ａ）を有する断面略コの字形に折り曲げ形成されており、前記スライダー（１２）は、前記折曲部分（５ａ）の内面側に位置し前記シャッタ（５）を固着するシャッタ支持部（２１）と、前記折曲部分（５ａ）のシャッタ閉止方向側端部から突出するように前記シャッタ支持部（２１）から伸設された伸設部（２２）と、前記シャッタ（５）を開方向に移動させる時に開閉ピンと当接するように前記伸設部（２２）の先端に形成された当接突起部（２５）とを有
し、
れ、
と共に、前記シャッタ支持部（２１）のシャッタ開方向側端部に一対の第１嵌合突起部（２３ａ、２３ｂ）が形成され、これらの第１嵌合突起部（２３ａ、２３ｂ）が、前記ケースの内壁面にスライダーの摺動方向に向けて形成された第１案内係合部（２７ａ、２７ｂ）に摺動可能に係合し、前記第２嵌合突起部（２６）および前記第１嵌合突起部（２３ａ、２３ｂ）が前記ケース（１）の記録再生装置挿入先端部分に沿って形成された凹み部（３１）を摺動することがないように構成した
　　
【請求項２】
　　前記シャッタ支持部（２１）のシャッタ開方向側端部に、シャッタ（５）を閉止方向に付勢する弾性部材（１４）が係合可能であることを特徴とする請求項１に記載のディスクカートリッジ。」
▲３▼．訂正事項ｃ
　　特許請求の範囲の減縮を目的として、特許請求の範囲の請求項４を削除する。
▲４▼．訂正事項ｄ
　　特許請求の範囲の請求項５に係る記載を明瞭でない記載の釈明を目的として、その記載形式を引用形式請求項から独立形式請求項にするととともに、特許請求の範囲の減縮を目的として、下記のとおり訂正し、請求項番号を繰り上げる。
　　「
【請求項３】
　　ディスク状記録媒体が収納されたケース（１）と、このケースに形成されたヘッド挿入穴（３）と、このヘッド挿入穴を開閉ピンによって開閉するためのシャッタ（５）と、前記シャッタに取り付けられ、前記シャッタの開閉方向に滑るようにして前記ケースと接触するスライダー（１２）と、を備えたディスクカートリッジにおいて、前記シャッタ（５）は前記ケース（１）の記録再生装置挿入側に位置する折曲部分（５ａ）を有する断面略コの字形に折り曲げ形成されており、前記スライダー（１２）は、前記折曲部分（５ａ）の内面側に位置し前記シャッタ（５）を固着するシャッタ支持部（２１）と、前記折曲部分（５ａ）のシャッタ閉止方向側端部から突出するように前記シャッタ支持部（２１）から伸設された伸設部（２２）と、前記シャッタ（５）を開方向に移動させる時に開閉ピンと当接するように前記伸設部（２２）の先端に形成された当接突起部（２５）とを有
し、
れ、
し、
▲５▼．訂正事項ｅ
　　（願書に最初に添付した）明細書の第３頁第１４行目〜第２２行目記載を下記のとおりに訂正する。
「このような問題を解決するために、本発明にあっては、ディスク状記録媒体が収納されたケース（１）と、このケースに形成されたヘッド挿入穴（３）と、このヘッド挿入穴を開閉ピンによって開閉するためのシャッタ（５）と、前記シャッタに取り付けられ、前記シャッタの開閉方向に滑るようにして前記ケースと接触するスライダー（１２）と、を備えたディスクカートリッジにおいて、前記シャッタ（５）は前記ケース（１）の記録再生装置挿入側に位置する折曲部分（５ａ）を有する断面略コの字形に折り曲げ形成されており、前記スライダー（１２）は、前記折曲部分（５ａ）の内面側に位置し前記シャッタ（５）を固着するシャッタ支持部（２１）と、前記折曲部分（５ａ）のシャッタ閉止方向側端部から突出するように前記シャッタ支持部（２１）から伸設された伸設部（２２）と、前記シャッタ（５）を開方向に移動させる時に開閉ピンと当接するように前記伸設部（２２）の先端に形成された当接突起部（２５）とを有し、前記当接突起部（２５）の下方に腕部とこの腕部を介して第２嵌合突起部（２６）が一体形成され、この第２嵌合突起部（２６）が前記ケース（１）の内壁面にスライダーの摺動方向に向けて形成された第２案内係合部（２８ａ、２８ｂ）に摺動可能に係合すると共に、前記シャッタ支持部（２１）のシャッタ開方向側端部に一対の第１嵌合突起部（２３ａ、２３ｂ）が形成され、これらの第１嵌合突起部（２３ａ、２３ｂ）が、前記ケースの内壁面にスライダーの摺動方向に向けて形成された第１案内係合部（２７ａ、２７ｂ）に摺動可能に係合し、前記第２嵌合突起部（２６）および前記第１嵌合突起部（２３ａ、２３ｂ）が前記ケース（１）の記録再生装置挿入先端部分に沿って形成された凹み部（３１）を摺動ずることがないように構成した。」
（５４）【発明の名称】
ディスクカートリッジ
（５７）【特許請求の範囲】
　　
【請求項１】
前記シャッタ（５）は前記ケース（１）の記録再生装置挿入側に位置する折曲部分（５ａ）を有する断面略コの字形に折り曲げ形成されており、
前記スライダー（１２）は、前記折曲部分（５ａ）の内面側に位置し前記シャッタ（５）を固着するシャッタ支持部（２１）と、前記折曲部分（５ａ）のシャッタ閉止方向側端部から突出するように前記シャッタ支持部（２１）から伸設された伸設部（２２）と、前記シャッタ（５）を開方向に移動させる時に開閉ピンと当接するように前記伸設部（２２）の先端に形成された当接突起部（２５）とを有
し、
れ、
と共に、前記シャッタ支持部（２１）のシャッタ開方向側端部に一対の第１嵌合突起部（２３ａ、２３ｂ）が形成され、これらの第１嵌合突起部（２３ａ、２３ｂ）が、前記ケースの内壁面にスライダーの摺動方向に向けて形成された第１案内係合部（２７ａ、２７ｂ）に摺動可能に係合し、前記第２嵌合突起部（２６）および前記第１嵌合突起部（２３ａ、２３ｂ）が前記ケース（１）の記録再生装置挿入先端部分に沿って形成された凹み部（３１）を摺動することがないように構成した
　　
【請求項２】
　　
【請求項３】
前記シャッタ（５）は前記ケース（１）の記録再生装置挿入側に位置する折曲部分（５ａ）を有する断面略コの字形に折り曲げ形成されており、
前記スライダー（１２）は、前記折曲部分（５ａ）の内面側に位置し前記シャッタ（５）を固着するシャッタ支持部（２１）と、前記折曲部分（５ａ）のシャッタ閉止方向側端部から突出するように前記シャッタ支持部（２１）から伸設された伸設部（２２）と、前記シャッタ（５）を開方向に移動させる時に開閉ピンと当接するように前記伸設部（２２）の先端に形成された当接突起部（２５）とを有
し、
し、
【発明の詳細な説明】
　　　【０００１】
　　【発明の属する技術分野】
　本発明はディスク状記録媒体を収納したディスクカートリッジ、特に３．５インチ用のディスクカートリッジのシャッタをガイドするスライダーに関する。
　　　【０００２】
　　【従来の技術】
　記録再生装置に使用されるディスク状記録媒体は、不使用時に破損したり、塵挨が付着したりするのを防止するために、ディスクカートリッジ内にこのディスク状記録媒体を収納することによって保護している。このようなディスクカートリッジとして、例えば、図１０に示すようなものがある。図１０において、符号１０１は上半片１０１ａおよび下半片１０１ｂからなるケースであり、このケース１０１にはディスク状記録媒体１０２が収納されている。ケース１０１にはこのディスクカートリッジが記録再生装置に装着されたときに、ディスク状記録媒体を回転させるための回転穴１０３や情報の読み書きを行うために、ヘッドが接近可能なヘッド挿入穴１０４が形成されている。
　　　【０００３】
　ここで、前記回転穴１０３やヘッド挿入穴１０４からケース１０１内部に塵挨が侵入するのを防止するために、このケース１０１にはシャッタ１０６が取り付けられている。また、シャッタ１０２はケースは１０１内に収装されたねじりコイルばね１０７によって常時付勢されて、前記回転穴１０３やヘッド挿入穴１０４を閉止している。
　　　【０００４】
　シャッタ１０６の図１０中左側に突出した部分１０６ａに開閉ピンＰを当接し、ねじりコイルばね１０７の付勢力に抗してヘッド挿入穴１０４等を開口している。
　　　【０００５】
　　【発明が解決しようとする課題】
　しかしながら、このような従来のディスクカートリッジあっては、金属製のシャッタ１０６がケース１０１と直に摺接しているので、このシャッタ１０６をケース１０１に対してスムースに摺動させにくく、またシャッタ１０６とケース１０１とにこのシャッタ１０６を摺動方向に案内する案内部が設けられていないために、シャッタ１０２を摺動方向へ向けて確実に案内させることができないという問題があった。そこで、ケース１０１に対して滑接するスライダーを取付けることが考えられるが、シャッタ１０６には開閉ピンＰが当接する突出した部分１０６ａを設けねばならないために、スライダーを取付けたシャッタ１０６部分が複雑化して、このディスクカートリッジが大型化してしまう虞が生じる。
　　　【０００６】
　　【課題を解決するための手段】
　このような問題を解決するために、本発明にあっては、ディスク状記録媒体が収納されたケース（１）と、このケースに形成されたヘッド挿入穴（３）と、このヘッド挿入穴を開閉ピンによって開閉するためのシャッタ（５）と、前記シャッタに取り付けられ、前記シャッタの開閉方向に滑るようにして前記ケースと接触するスライダー（１２）と、を備えたディスクカートリッジにおいて、
前記シャッタ（５）は前記ケース（１）の記録再生装置挿入側に位置する折曲部分（５ａ）を有する断面略コの字形に折り曲げ形成されており、
前記スライダー（１２）は、前記折曲部分（５ａ）の内面側に位置し前記シャッタ（５）を固着するシャッタ支持部（２１）と、前記折曲部分（５ａ）のシャッタ閉止方向側端部から突出するように前記シャッタ支持部（２１）から伸設された伸設部（２２）と、前記シャッタ（５）を開方向に移動させる時に開閉ピンと当接するように前記伸設部（２２）の先端に形成された当接突起部（２５）とを有し、前記当接突起部（２５）の下方に腕部とこの腕部を介して第２嵌合突起部（２６）が一体形成され、この第２嵌合突起部（２６）が前記ケース（１）の内壁面にスライダーの摺動方向に向けて形成された第２案内係合部（２８ａ、２８ｂ）に摺動可能に係合すると共に、前記シャッタ支持部（２１）のシャッタ開方向側端部に一対の第１嵌合突起部（２３ａ、２３ｂ）が形成され、これらの第１嵌合突起部（２３ａ、２３ｂ）が、前記ケースの内壁面にスライダーの摺動方向に向けて形成された第１案内係合部（２７ａ、２７ｂ）に摺動可能に係合し、前記第２嵌合突起部（２６）および前記第１嵌合突起部（２３ａ、２３ｂ）が前記ケース（１）の記録再生装置挿入先端部分に沿って形成された凹み部（３１）を摺動することがないように構成した。
　　　【０００７】
　上記のスライダーには、ケースに設けられた案内係合部と係合する係合突起部を、前記伸設部の先端側に、又は、前記伸設部の先端側と前記シャッタ支持部の他端側の両方に設けてもよい。
　　　【０００８】
　スライダーには、シャッタが取り付けられている部分から伸設部が伸ばして形成されており、この伸設部の先端には、開閉ピンが当接可能な当接突起部が形成されている。また、スライダーは、滑性を有する合成樹脂製で形成されているので、ケースに対して滑性を有している。したがって、この当接突起部に開閉ピンを当接させてスライダを押せば、シャッタが開閉することができ、シャッタに開閉ピンと当接する突出部分を形成する必要がない。また、スライダーにさらに係合突起部を形成し、この係合突起部をケースに設けた案内係合部と係合させると、スライダーは開閉時に確実に案内される。
　　　【０００９】
　　【発明の実施の形態】
　以下、本発明を図面に基づいて説明する。図１ないし図９は本発明に係る３．５インチ用のディスクカートリッジののスライダーの一実施例を示す図である。
　　　【００１０】
　図１および図２において符号１はディスクカートリッジのケースであり、このケース１は合成樹脂製であって全体が矩形の平板状筐体の上半片１ａと下半片１ｂとからなっている。ケース１内には光学的情報を記録した３．５インチの光ディスク２（ディスク状記録媒体）が収納されている。ケース１の下半片１ｂの中央には、光ディスク２が記録再生装置に装着されたときに、ケース１内の光ディスク２をスピンドルモータ（図示せず）によって回転させるための回転穴４が形成され、この回転穴４から光ディスク２の中心部に設けられたハブ部２ａが露出している。またケース１の上・下半片１ａ，１ｂには光ディスク２に記録された情報を読み取るための光ヘッド（図示せず）が接近可能なようにヘッド挿入穴３が形成されている。
　　　【００１１】
　光ディスク２を使用しない場合には、前記回転穴４やヘッド挿入穴３から塵挨がケース１内に侵入するのを防止するために、このケース１にはシャッタ５が取付けられている。シャッタ５はステンレス鋼等の金属薄板を略中央から断面略コの字形に折り曲げて形成され、前記回転穴４及びヘッド挿入穴３を開閉するための開閉板部６と、この開閉板部６よりも折り曲げ長さが短い補助開閉板部７とを有している。
　　　【００１２】
　ケース１の記録再生装置挿入先端部分に形成されたガイド部Ｇは、図３に示すように、図上左側に形成されケース１の上端面から落込んだ位置に水平方向に伸びるガイド表面８を有している。ガイド表面８の同図中右側には、シャッタ５を開閉するための開閉ピンＰがこのシャッタ５を開放したときに落込むための逃げ凹み９が形成されている。前記開閉ピンＰは図３中シャッタ５を右側に移動せしめ、ヘッド挿入穴３を開放する。
　　　【００１３】
　一方、記録再生装置にディスクカートリッジの表裏を誤って逆に装着すると、開閉ピンＰは誤動作してしまう。この開閉ピンＰの誤動作を防止するために、上半片１ａおよび下半片１ｂの前記挿入先端部分であってガイド表面８に対して反対側に、開閉ピンＰが嵌入可能なノッチ１０ａ，１０ｂが形成され、このノッチ１０ａ，１０ｂには図３中左側に隣接して一対の誤動作防止壁１１ａ，１１ｂが上方へ突出形成されている。
　　　【００１４】
　断面略コの字形シャッタ５の折曲部分５ａの内面側にはガイド部Ｇに摺接するポリアセタール等の合成樹脂製のスライダー１２が取り付けられており、このスライダー１２は図３中略右半分が前記折曲部分５ａの内面側にタッピングねじ等によって固着されている。
　　　【００１５】
　スライダー１２は、図４に示すように全体が細長い棒状となっており、断面略矩形であってシャッタ５の折曲部分５ａの内側に位置し、このシャッタ５を支持するシャッタ支持部２１と、この支持部２１から図４中左下方へ伸ばして形成された幅狭の伸設部２２とを有し、この伸設部２２の同図中上方から見た厚さｔ１は、支持部２１の同じ厚さｔ２に比べ狭くなるように形成されている。支持部２１の図４中右方側には係合突起部２３が形成され、伸設部２２の左方側にも係合突起部２４が形成され、この係合突起部２４は上側に形成された当接突起部２５と下側に形成された嵌合突起部２６（第２嵌合突起部）とからなっている。前記支持部分２１には、ねじ穴２１ａ，２１ａが形成され、前記当接突起部２５は伸設部分２２の先端から左右に張り出している。
　　　【００１６】
　また、図５および図６に示すようにスライダー１２の係合突起部２３の両側には一対の突起部分２３ａ，２３ｂ（第１嵌合突起部）が形成され、この一対の突起部分２３ａ，２３ｂは上・下半片１ａ，１ｂの内壁面にスライダー１２の摺動方向に向けて形成された一対の案内溝２７ａ，２７ｂ（第１案内係合部）に嵌入している。なお、一方の突起部分２３ａは長く、他方の突起部分２３ｂは短く形成されている。係合突起部２３にはねじりコイルばね１４の一端１４ａが係合される第１ばね受け部１５が形成され、この第１ばね受け部１５には引掛り部１５ａが形成されている。ケース１の図６中右上方端部にはねじりコイルばね１４の他端１４ｂが係合される第２ばね受け部１６が形成され、ねじりコイルばね１４の付勢力によってスライダー１２を図６中左方へ付勢している。また、係合突起部２３にはねじりコイルばね１４が嵌入可能な割り溝２３ｃが形成されている。そして、前記他方の突起部２３ｂが短く形成されているのは、図６に示すようにシャッタ５を完全に開いたときに、ねじりコイルばね１４の腕１４ｂが突起部２３ｂに衝突するのを避けるためである。
　　　【００１７】
　一方、スライダー１２は図７に示すように開閉ピンＰと当接可能なようにシャッタ５の折曲部分５ａから同図中左方へ伸ばして形成されているが、この伸設部２２の厚さｔ１を小さくしているのはシャッタ５を開いた状態で記録再生装置の一対のヘッドｈが側方からヘッド挿入口３へ接近してもそれに接触しないようにするためである（図９）。すなわち、カートリッジのガイド部Ｇに沿って形成された凹んだ凹み部３１の厚さを越えないように伸設部２２の厚さｔ１が定められる。また、このスライダー１２の伸設部２２の先端に形成された当接突起部２５はガイド表面８上を摺接する。
　　　【００１８】
　さらに、伸設部２２の左端側には図８に示すように下方に形成された腕部を介して係合突起部２６（第２嵌合突起部）が一体形成されている。係合突起部２６はケース１にスライダー１２の摺動方向に沿ってそれぞれ形成された係合突起部２８ａ，２８ｂ（第２案内係合部）に係合されて、スライダー１２を摺動方向に案内するとともに、このケース１から容易に外れるのを防止している。そして、シャッタ５が完全に開いたときには係合突起部２６の上面は前記ガイド部Ｇに形成された逃げ凹み９の底面とほぼ面一になり、開閉ピンＰの逃げ凹み９内への挿入を邪魔しないようになっている（図７）。
　　　【００１９】
　ここで、スライダー１２はポリアセタール等の滑性を有する合成樹脂製であり、一方、上下半片１ａ，１ｂもポリカーボネイト等の滑性を有する合成樹脂製である。このため、スライダー１２の係合突起部２３の突起部分２３ａ，２３ｂ（第１嵌合突起部）は、嵌入する案内溝２７ａ，２７ｂ（第１案内係合部）に対し滑性を有し、一方係合突起部２４の当接突起部２５および係合突起部２６（第２嵌合突起部）２６はガイド表面８および係合突起部２８ａ，２８ｂ（第２案内係合部）に対して滑性を有している。また、案内溝２７ａ，２７ｂ（第１案内係合部）と係合突起部２８ａ，２８ｂ（第２案内係合部）はいずれもスライダー１２の摺動方向に向けて形成されているので、スライダー１２はこの摺動方向へ確実に案内される。したがって、シャッタ５はスライダー１２を介してケース１に対してスムーズかつ摺動方向に向けて確実に案内させることができる。
　　　【００２０】
　一方、スライダー１２にはシャッタ５の折曲部分５ａから伸設部２２が伸ばして形成されているので、この伸設部２２の突端に開閉ピンＰを当接させてスライダー１２を押せば、シャッタ５を開閉させることができる。したがって、シャッタ５に開閉ピンＰと当接する突出部分を形成する必要がなく、スライダー１２の伸設部２２に前記突出部分の役目を持たせることで、スライダー１２を取り付けたシャッタ５部分は単純化され、このディスクカートリッジを小形化することができる。
　　　【００２１】
　　【発明の効果】
　以上説明したように本発明によれば、合成樹脂製のスライダーの摺動方向両端のそれぞれに係合突起部を形成し、この係合突起部が摺動可能に係合する案内係合部をディスクカートリッジに形成したので、シャッタはスライダーを介してケースに対してスムーズに摺動ずるとともに、この摺動方向へ確実に案内される。また、スライダーをシャッタが取付けられている部分から前記開閉ピンが当接可能な伸設部を伸ばして形成したので、この伸設部に開閉ピンを当接させてシャッタを開閉させることができる。したがって、シャッタに開閉ピンと当接する突出部分を形成する必要がなく、スライダーを取り付けたシャッタ部分は単純化され、このディスクカートリッジを小形化することができる。
【図面の簡単な説明】
　　【図１】ディスクカートリッジの表側の斜視図
　　【図２】ディスクカートリッジの裏側の斜視図
　　【図３】ディスクカートリッジの正面図
　　【図４】スライダーの斜視図
　　【図５】図３におけるＶ−Ｖ線断面図
　　【図６】図５におけるＶＩ−ＶＩ線断面図
　　【図７】ディスクカートリッジの部分拡大断面図
　　【図８】図７におけるＶＩＩＩ−ＶＩＩＩ線断面図
　　【図９】シャッタを開いたときのガイド部の状態説明図
　　【図１０】従来のディスクカートリッジを示す斜視図
　　【符号の説明】
　　　　１…ケース
　　　　３…ヘッド挿入穴
　　　　５…シャッタ
　　　１２…スライダー
　　　２２…伸設部
　　　２３，２４…係合突起部
　　　２７ａ，２７ｂ…案内溝
　　　２８ａ，２８ｂ…係合突起部（案内係合部）